(57)【特許請求の範囲】
【請求項１】
壁に取付けられる容器本体と、容器本体の収納物を使用するための開口部を開閉する蓋とを有してなる壁掛容器であって、
容器本体は、壁への取付面部の正面を開口部とし、
蓋は、容器本体の開口部の下縁にヒンジを介して連結されるとともに、容器本体の開口部の上縁に設けた突起状の本体側係止部に係脱できる孔状の蓋側係止部を備え、
蓋の重心が、該蓋の閉じ状態で、ヒンジより反容器本体側に維持するように設定されて、蓋に作用する重力のモーメントにより蓋をヒンジ回りに開き回転可能としてなり、
容器本体の本体側係止部回りを上方から押圧し、被押圧部に上方から加える押圧力による容器本体の該被押圧部を中心とする弾性変形により、蓋側係止部と本体側係止部との係止を解除した後、蓋の重力の作用で開き回転することを特徴とする壁掛容器。
【請求項２】
前記蓋側係止部は、前記蓋の閉じ状態で前記容器本体の開口部の上面部と隙間を介して前記容器本体側係止部に係止されてなる請求項１記載の壁掛容器。
【発明の詳細な説明】
【０００１】
【発明の属する技術分野】
本発明は、ワンタッチで蓋を開くことができる壁掛容器に関する。
【０００２】
【従来の技術】
従来、片手を用いるだけで蓋を開けることのできる容器として、実公平 5-35085号公報に記載の如く、蓋の後半部を容器の傾斜座面に押し付けることにより、蓋の前半部を起立させ、蓋を開けるものがある（従来技術１）。
【０００３】
また、本出願人は、特願平7-84514 号により、片手で容器本体の天面部を押圧弾性変形せしめることにより、容器本体に設けてある本体側係止部と、蓋に設けてある蓋側係止部との係止を解除し、容器本体と蓋との間に設けてあるばねの弾発力で蓋を開けるものを提案している（従来技術２）。
【０００４】
【発明が解決しようとする課題】
従来技術１の容器では、蓋の後半部を片手で押し付けることにより、蓋の前半部を起立させて蓋を開くものであるため、蓋の前半部が所定角度になるまで蓋の後半部を押し続けなければならない。また、この容器を壁に取付けて用いる場合には、壁が開き過程で背面の壁に当たってしまい、十分な開き角度が得られない。
【０００５】
従来技術２の容器では、片手を用いて本体側係止部と蓋側係止部との係止を解除した後、蓋に開き力を及ぼすためにばねを用いることを必須とし、構成複雑になる。また、この容器を壁に取付けて用いる場合には、蓋が開き過程で背面の壁に当たってしまい、十分な開き角度が得られない。
【０００６】
本発明の課題は、壁に取付けて用いる壁掛容器において、簡素な構成により、片手を用いるだけで蓋を即座に開けることにある。
【０００７】
【課題を解決するための手段】
請求項１に記載の本発明は、壁に取付けられる容器本体と、容器本体の収納物を使用するための開口部を開閉する蓋とを有してなる壁掛容器であって、容器本体は、壁への取付面部の正面を開口部とし、蓋は、容器本体の開口部の下縁にヒンジを介して連結されるとともに、容器本体の開口部の上縁に設けた突起状の本体側係止部に係脱できる孔状の蓋側係止部を備え、蓋の重心が、該蓋の閉じ状態で、ヒンジより反容器本体側に維持するように設定されて、蓋に作用する重力のモーメントにより蓋をヒンジ回りに開き回転可能としてなり、容器本体の本体側係止部回りを上方から押圧し、被押圧部に上方から加える押圧力による容器本体の該被押圧部を中心とする弾性変形により、蓋側係止部と本体側係止部との係止を解除した後、蓋の重力の作用で開き回転するようにしたものである。
【０００９】
請求項１に記載の本発明によれば下記▲１▼、▲２▼の作用がある。
▲１▼片手を用いて容器本体の本体側係止部回りを押圧弾性変形せしめ、本体側係止部と蓋側係止部との係止を解除した後、蓋はばね等の開き力付与手段を用いることなく重力の作用で開き回転する。従って、構成簡素にできる。
【００１０】
▲２▼蓋は容器本体の開口部の下縁に設けたヒンジ回りに開き回転し、容器本体の前方にて下方へと開き回転する。従って、蓋は開き過程で壁に当たることがなく、十分な開き角度が得られる。
【００１２】
【発明の実施の形態】
図１は壁掛容器の使用状態を示す模式図、図２は壁掛容器を示す斜視図、図３はロールホルダへの巻紙セット状態を示す模式図、図４はロールホルダを示す模式図である。
【００１３】
壁掛容器１０は、図１に示す如く、壁１の壁面１Ａに保持具２０を介して取着されて用いられる。
【００１４】
容器１０は、図１、図２に示す如く、壁１に取付けられる容器本体１１と、容器本体１１の開口部１１Ａを開閉する蓋１２とを有している。容器本体１１は、壁１への取付面部１１Ｂの正面を上記開口部１１Ａとしている。蓋１２は、開口部１１Ａの下縁に沿う２位置に設けたヒンジ１３を介して容器本体１１に連結されている。容器１０は、容器本体１１と蓋１２とヒンジ１３を樹脂にて一体成形したものである。容器本体１１への蓋１２の閉じ状態で、容器本体１１の開口部１１Ａ回りに設けたインナーリング部１１Ｃに、蓋１２のアウターリング部１２Ａを嵌合せしめるものとしている。
【００１５】
容器本体１１は、開口部１１Ａの上縁中央部に突起状の本体側係止部１１Ｄを備えている。蓋１２は、容器本体１１への閉じ状態で、容器本体１１の上記本体側係止部１１Ｄに係脱できる孔状の蓋側係止部１２Ｂを備えている。容器１０は、使用者の片手指が容器本体１１の本体側係止部１１Ｄ回りに加える押圧力Ｆにより該容器本体１１の本体側係止部１１Ｄ回りを弾性変形せしめ（図１（Ｂ））、本体側係止部１１Ｄと蓋側係止部１２Ｂとの係止を解除し、容器本体１１に作用する重力のモーメントＭにより蓋１２をヒンジ１３回りに開き回転せしめる（図１（Ｃ））。従って、蓋１２の重心Ｇは、図１（Ａ）の閉じ状態で、ヒンジ１３より反容器本体１１側に位置するように設定される。
【００１６】
容器本体１１は、両側面部に設けた支持孔部１１Ｅ、１１Ｆにロールホルダ１４を着脱でき、このロールホルダ１４に巻紙１５を装填可能としている（図３）。ロールホルダ１４は、図４に示す如く、ホルダ筒３１の大径孔３１Ａに第１シャフト３２の大径軸３２Ａを遊装するとともに、大径孔３１Ａに内蔵したばね３３により第１シャフト３２の小径支軸３２Ｂをホルダ筒３１の小径孔３１Ｂから弾発的に出没可能に突出せしめている。また、ホルダ筒３１の大径孔３１Ａの反第１シャフト３２側には第２シャフト３４の大径軸３４Ａが圧入され、第２シャフト３４の小径支軸３４Ｂを外方に固定的に突出せしめている。尚、ホルダ筒３１の一端側には第２シャフト３４のフランジ部３４Ｃが設けられ、ホルダ筒３１の他端側段差部にはフランジ３５が着脱可能とされている。これにより、ロールホルダ１４にあっては、ホルダ筒３１の他端側からフランジ３５を外した状態で、巻紙１５がホルダ筒３１に装填された後、ホルダ筒３１の他端側に該フランジ３５が装着される。そして、巻紙１５が装填されたロールホルダ１４は、ホルダ筒３１に圧入されている第２シャフト３４の小径支軸３４Ｂを容器本体１１の支持孔部１１Ｅに挿入せしめた後、ホルダ筒３１に遊装されている第１シャフト３２の小径支軸３２Ｂをホルダ筒３１内に没入させた状態で容器本体１１の支持孔部１１Ｆ側の内面を滑らせ、該容器本体１１の支持孔部１１Ｆに合致する位置で上記ホルダ筒３１から弾発的に突出させて該容器本体１１の支持孔部１１Ｆに挿入せしめる。尚、ロールホルダ１４は、第１シャフト３２の小径支軸３２Ｂをホルダ筒３１内に没入させ、第２シャフト３４の小径支軸３４Ｂを容器本体１１の支持孔部１１Ｅから外すことにて、容器本体１１から取り外しできる。
【００１７】
容器本体１１は、インナーリング部１１Ｃにおいて開口部１１Ａの上縁に沿う部分を鋸歯状の切刃部１１Ｇとし、ロールホルダ１４から巻き出された巻紙１５をこの切刃部１１Ｇに押し当てて切離できる。
【００１８】
保持具２０は、壁１の磁性体製の壁面１Ａに磁着できる磁石２１を備えている。容器１０は、上下一対の保持具２０を壁面１Ａに取着した状態で、両保持具２０の間に容器本体１１を挟持されて保持せしめられる。
【００１９】
従って、壁掛容器１０は以下の如くに用いられる。
(1) 巻紙１５を装填したロールホルダ１４を容器本体１１に装着し、その容器本体１１を蓋１２で閉じた状態で、保持具２０により壁面１Ａに取付ける（図１（Ａ））。
【００２０】
(2) 使用者の片手指により容器本体１１の本体側係止部１１Ｄ回りを押圧力Ｆで押圧し、弾性変形せしめる（図１（Ｂ））。これにより、本体側係止部１１Ｄと蓋側係止部１２Ｂとの係止が解除され、蓋１２は該蓋１２に作用する重力のモーメントＭによりヒンジ１３回りを開き回転する（図１（Ｃ））。
【００２１】
(3) ロールホルダ１４から巻き出した巻紙１５を容器本体１１の切刃部１１Ｇで切断し、使用に供する。その後、蓋１２を閉じ、蓋側係止部１２Ｂを本体側係止部１１Ｄに係止せしめる。
【００２２】
本実施形態によれば下記、▲１▼〜▲３▼の作用がある。
▲１▼片手を用いて容器本体１１の本体側係止部１１Ｄ回りを押圧弾性変形せしめ、本体側係止部１１Ｄと蓋側係止部１２Ｂとの係止を解除した後、蓋１２はばね等の開き力付与手段を用いることなく重力の作用で開き回転する。従って、構成簡素にできる。
【００２３】
▲２▼蓋１２は容器本体１１の開口部１１Ａの下縁に設けたヒンジ１３回りに開き回転し、容器本体１１の前方にて下方へと開き回転する。従って、蓋１２は開き過程で壁に当たることがなく、十分な開き角度が得られる。
【００２４】
▲３▼壁面１Ａに磁力により取着される保持具２０を用いることにより、容器本体１１を壁に容易に取着できる。
【００２５】
以上、本発明の実施形態を図面により詳述したが、本発明の具体的な構成はこの実施形態に限られるものではなく、本発明の要旨を逸脱しない範囲の設計の変更等があっても本発明に含まれる。例えば、容器本体１１は、磁石によらず、吸盤等の他の取着手段により壁面１Ａに取付けられても良い。また、容器本体１１は、保持具２０を介さず、直接的に壁面１Ａに取付けられても良い。
【００２６】
【発明の効果】
以上のように本発明によれば、壁に取付けて用いる壁掛容器において、簡素な構成により、片手を用いるだけで蓋を即座に開けることができる。
【図面の簡単な説明】
【図１】図１は壁掛容器の使用状態を示す模式図である。
【図２】図２は壁掛容器を示す斜視図である。
【図３】図３はロールホルダへの巻紙セット状態を示す模式図である。
【図４】図４はロールホルダを示す模式図である。
【符号の説明】
１  壁
１Ａ  壁面
１０  壁掛容器
１１  容器本体
１１Ａ  開口部
１１Ｂ  取付面部
１１Ｄ  本体側係止部
１２  蓋
１２Ｂ  蓋側係止部
１３  ヒンジ
２０  保持具
２１  磁石
【図１】
0003935999.tif 000002
【図２】
0003935999.tif 000003
【図３】
0003935999.tif 000004
【図４】
0003935999.tif 000005